(57)【要約】複数のラジオ・アクセス技術（ＲＡＴ）にラジオ・リンク障害（ＲＬＦ）回復タイマを分配することを容易にするシステムおよび方法が記載される。ＲＬＦが判定されると、ＲＬＦ回復タイマが取得され、タイマ割当にしたがって分割されうる。タイマ割当は、複数のＲＡＴに関して等しいまたは重み付けられたパーセンテージを含みうる。そして、タイマは、対応する、タイマの一部分の間、ＲＡＴを用いて接続を試みるために、このパーセンテージにしたがって分割されうる。さらに、タイマ割当は、通信のタイプにしたがって定義されうる。この点に関し、音声コールの場合、タイマは、接続が喪失された等のネットワークに関わらず、回路交換ネットワークに分割されうる。さらに、タイマ割当は、ＲＡＴ展開特性に基づいて定義されうる。
2013526821.tif 000002
【特許請求の範囲】
【請求項１】
ラジオ・リンク障害（ＲＬＦ）から回復することに関連するタイマを受信することと、
タイマ割当において定義される複数のラジオ・アクセス技術（ＲＡＴ）のうちの少なくとも１つに関連する、前記タイマの一部分を決定することと、
前記タイマの一部分の間、前記複数のＲＡＴのうちの少なくとも１つを用いて接続を試みることと
を備える方法。
【請求項２】
前記タイマの一部分を決定することは、前記タイマ割当における複数のＲＡＴのうちの少なくとも１つのために指定されたパーセンテージに少なくとも部分的に基づいて、前記タイマの一部分を計算することを備える、請求項１に記載の方法。
【請求項３】
前記パーセンテージは、前記タイマ割当における複数のＲＡＴのうちの別の１つのために指定された別のパーセンテージとは異なる、請求項２に記載の方法。
【請求項４】
アクセス・ポイントとの通信に関連する１または複数のパラメータを受信すること、をさらに備える請求項１に記載の方法。
【請求項５】
前記１または複数のパラメータに少なくとも部分的に基づいて、前記タイマ割当を、おのおのが前記複数のＲＡＴに関連する複数のパーセンテージとして定義すること、をさらに備える請求項４に記載の方法。
【請求項６】
前記１または複数のパラメータを受信することは、音声コールに関連する１または複数のパラメータを受信することを含み、
前記タイマ割当を定義することは、前記複数のＲＡＴとして回路交換ＲＡＴを指定することを含む、請求項５に記載の方法。
【請求項７】
前記１または複数のパラメータを受信することは、展開されたＲＡＴに関連する展開特性を受信することを含み、
前記タイマ割当を定義することは、前記展開されたＲＡＴのために、前記複数のＲＡＴの残りの部分のためのパーセンテージとは異なるパーセンテージを指定することを含む、請求項５に記載の方法。
【請求項８】
前記タイマ割当において定義される複数のラジオ・アクセス技術（ＲＡＴ）のうちの次の１つに関連する、前記タイマの別の一部分を決定することと、
前記タイマの別の一部分の間、前記複数のＲＡＴのうちの次の１つへの接続を試みることと、
をさらに備える請求項１に記載の方法。
【請求項９】
前記ＲＬＦから回復することに関連するタイマを受信することは、前記タイマを物理レイヤから受信することを含む、請求項１に記載の方法。
【請求項１０】
前記タイマの一部分を決定することは、マルチ・モード選択システム・レイヤにおいて実行される、請求項１に記載の方法。
【請求項１１】
無線通信装置であって、
ラジオ・リンク障害（ＲＬＦ）から回復することに関連するタイマを受信し、
タイマ割当に少なくとも部分的に基づいて、複数のラジオ・アクセス技術（ＲＡＴ）のうちの少なくとも１つに関連する、前記タイマの一部分を計算し、
前記タイマの一部分の間、前記複数のＲＡＴのうちの少なくとも１つを用いて、アクセス・ポイントへの接続を試みる
ように構成された少なくとも１つのプロセッサと、
前記少なくとも１つのプロセッサに接続されたメモリと、
を備える無線通信装置。
【請求項１２】
前記タイマ割当は、前記複数のＲＡＴのおのおのに関連する、複数のパーセンテージを含み、
前記少なくとも１つのプロセッサは、前記複数のＲＡＴのうちの少なくとも１つに関連する複数のパーセンテージのうちのパーセンテージを前記タイマに適用することに少なくとも部分的に基づいて、前記タイマの一部分を計算するように構成された、請求項１１に記載の無線通信装置。
【請求項１３】
前記パーセンテージは、前記複数のＲＡＴのうちの別の１つに関連する複数のパーセンテージにおける別のパーセンテージとは異なる、請求項１２に記載の無線通信装置。
【請求項１４】
前記少なくとも１つのプロセッサはさらに、前記アクセス・ポイントまたは別のアクセス・ポイントとの通信に関連する１または複数のパラメータを受信するように構成された、請求項１１に記載の無線通信装置。
【請求項１５】
前記少なくとも１つのプロセッサはさらに、前記１または複数のパラメータに少なくとも部分的に基づいて、前記タイマ割当を、おのおのが前記複数のＲＡＴに関連する複数のパーセンテージを含めるように生成するように構成された、請求項１４に記載の無線通信装置。
【請求項１６】
前記１または複数のパラメータは、音声コールに関連しており、
前記タイマ割当は、複数の回路交換ＲＡＴに関連する、複数のパーセンテージを含む、請求項１５に記載の無線通信装置。
【請求項１７】
前記１または複数のパラメータは、展開されたＲＡＴに関連しており、
前記複数のパーセンテージは、別のＲＡＴのための別のパーセンテージよりも大きい、前記展開されたＲＡＴのための少なくとも１つのパーセンテージを含む、請求項１５に記載の無線通信装置。
【請求項１８】
装置であって、
ラジオ・リンク障害（ＲＬＦ）から回復することに関連するタイマを受信する手段と、
タイマ割当において定義される複数のラジオ・アクセス技術（ＲＡＴ）のうちの少なくとも１つに関連する、前記タイマの一部分を決定する手段と、
前記タイマの一部分の間、前記複数のＲＡＴのうちの少なくとも１つを用いて接続を試みる手段と、
を備える装置。
【請求項１９】
前記タイマ割当は、前記複数のＲＡＴのおのおのに関連する、複数のパーセンテージを含み、
前記タイマの一部分を決定する手段は、前記複数のＲＡＴのうちの少なくとも１つに関連する複数のパーセンテージのうちのパーセンテージを、前記タイマに適用する、請求項１８に記載の装置。
【請求項２０】
アクセス・ポイントとの通信に関連する１または複数のパラメータを受信する手段、をさらに備える請求項１８に記載の装置。
【請求項２１】
前記タイマの一部分を決定する手段は、前記１または複数のパラメータに少なくとも部分的に基づいて、前記タイマ割当を、おのおのが前記複数のＲＡＴに関連する複数のパーセンテージとして定義する、請求項２０に記載の装置。
【請求項２２】
前記１または複数のパラメータは、音声コールに関連しており、
前記タイマの一部分を決定する手段は、複数の回路交換ＲＡＴに関連する、複数のパーセンテージを含むように、前記タイマ割当を定義する、請求項２１に記載の装置。
【請求項２３】
前記１または複数のパラメータは、展開されたＲＡＴに関連しており、
前記タイマの一部分を決定する手段は、別のＲＡＴのための別のパーセンテージよりも大きい、前記展開されたＲＡＴのための少なくとも１つのパーセンテージを含むように、前記タイマ割当を定義する、請求項２１に記載の装置。
【請求項２４】
コンピュータ・プログラム製品であって、
少なくとも１つのコンピュータに対して、ラジオ・リンク障害（ＲＬＦ）から回復することに関連するタイマを受信させるためのコードと、
前記少なくとも１つのコンピュータに対して、タイマ割当に少なくとも部分的に基づいて、複数のラジオ・アクセス技術（ＲＡＴ）のうちの少なくとも１つに関連する、前記タイマの一部分を計算させるためのコードと、
前記少なくとも１つのコンピュータに対して、前記タイマの一部分の間、前記複数のＲＡＴのうちの少なくとも１つを用いて、アクセス・ポイントへの接続を試みさせるためのコードと、
を備えるコンピュータ読取可能な媒体、
を備えるコンピュータ・プログラム製品。
【請求項２５】
前記タイマ割当は、前記複数のＲＡＴのおのおのに関連する、複数のパーセンテージを含み、
前記少なくとも１つのコンピュータに対して計算させるためのコードは、前記複数のＲＡＴのうちの少なくとも１つに関連する複数のパーセンテージのうちのパーセンテージを前記タイマに適用することに少なくとも部分的に基づいて、前記タイマの一部分を計算する、請求項２４に記載のコンピュータ・プログラム製品。
【請求項２６】
前記パーセンテージは、前記複数のＲＡＴのうちの別の１つに関連する複数のパーセンテージにおける別のパーセンテージとは異なる、請求項２５に記載のコンピュータ・プログラム製品。
【請求項２７】
前記コンピュータ読取可能な媒体はさらに、前記少なくとも１つのコンピュータに対して、前記アクセス・ポイントまたは別のアクセス・ポイントとの通信に関連する１または複数のパラメータを受信させるためのコードを備える、請求項２４に記載のコンピュータ・プログラム製品。
【請求項２８】
前記コンピュータ読取可能な媒体はさらに、前記少なくとも１つのコンピュータに対して、前記１または複数のパラメータに少なくとも部分的に基づいて、前記タイマ割当を、おのおのが前記複数のＲＡＴに関連する複数のパーセンテージを含めるように生成させるためのコードを備える、請求項２７に記載のコンピュータ・プログラム製品。
【請求項２９】
前記１または複数のパラメータは、音声コールに関連しており、
前記タイマ割当は、複数の回路交換ＲＡＴに関連する、複数のパーセンテージを含む、請求項２８に記載のコンピュータ・プログラム製品。
【請求項３０】
前記１または複数のパラメータは、展開されたＲＡＴに関連しており、
前記複数のパーセンテージは、別のＲＡＴのための別のパーセンテージよりも大きい、前記展開されたＲＡＴのための少なくとも１つのパーセンテージを含む、請求項２８に記載のコンピュータ・プログラム製品。
【請求項３１】
装置であって、
ラジオ・リンク障害（ＲＬＦ）から回復することに関連するタイマを受信するＲＬＦ回復タイマ構成要素と、
タイマ割当において定義される複数のラジオ・アクセス技術（ＲＡＴ）のうちの少なくとも１つに関連する、前記タイマの一部分を決定するタイマ分割構成要素と、
前記タイマの一部分の間、前記複数のＲＡＴのうちの少なくとも１つを用いて接続を試みるＲＡＴ選択構成要素と、
を備える装置。
【請求項３２】
前記タイマ割当は、前記複数のＲＡＴのおのおのに関連する、複数のパーセンテージを含む、請求項３１に記載の装置。
【請求項３３】
アクセス・ポイントとの通信に関連する１または複数のパラメータを受信する通信パラメータ決定構成要素、をさらに備える請求項３１に記載の装置。
【請求項３４】
前記タイマ分割構成要素は、前記１または複数のパラメータに少なくとも部分的に基づいて、前記タイマ割当を、おのおのが前記複数のＲＡＴに関連する複数のパーセンテージとして定義する、請求項３３に記載の装置。
【請求項３５】
前記１または複数のパラメータは、音声コールに関連しており、
前記タイマ分割構成要素は、複数の回路交換ＲＡＴに関連する、複数のパーセンテージを含むように、前記タイマ割当を定義する、請求項３４に記載の装置。
【請求項３６】
前記１または複数のパラメータは、展開されたＲＡＴに関連しており、
前記タイマ分割構成要素は、別のＲＡＴのための別のパーセンテージよりも大きい、前記展開されたＲＡＴのための少なくとも１つのパーセンテージを含むように、前記タイマ割当を定義する、請求項３４に記載の装置。
【発明の詳細な説明】
【技術分野】
【０００１】
以下の記載は、一般に、無線通信に関し、さらに詳しくは、ラジオ・リンク障害を取り扱うことに関する。
【背景技術】
【０００２】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００３】
一般に、無線多元接続通信システムは、複数のモバイル・デバイスのための通信を同時にサポートしうる。モバイル・デバイスはそれぞれ、順方向リンクおよび逆方向リンクにおける送信によって、１または複数のアクセス・ポイント（例えば、基地局）と通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００４】
しかしながら、モバイル・デバイスは、接続モードにある１または複数のアクセス・ポイントと通信している場合、ラジオ・リンク障害（ＲＬＦ）を経験しうる。これは、モバイル・デバイスが、ある期間、１または複数のアクセス・ポイントへの接続を喪失した場合に生じうる。これは、（例えば、モバイル・デバイスが、トンネルを通って、高度が変動する領域を超えて、エレベータ等で移動している場合、）１または複数のアクセス・ポイントからの信号の深いフェードによって引き起こされうる。モバイル・デバイスは、（例えば、低下した信号品質、巡回冗長ヘッダを受信するまたはしない等に基づいて）信号の喪失を検出しうる。そして、ＲＬＦを判定するために、物理レイヤにおいてタイマを起動しうる。このタイマが終了すると、モバイル・デバイスは、ＲＬＦが生じたと判定し、１または複数のアクセス・ポイントまたは別のアクセス・ポイントとの接続を再開するために、上部レイヤに依存する。さらに、例えば、別のタイマが指定され、この間、モバイル・デバイスがアイドル・モードに切り換わる前に、上部レイヤによって接続が再開される。３ＧＰＰ  ＬＴＥでは、これはＴ３１１タイマまたは類似のタイマでありうる。広帯域ＣＤＭＡでは、これは、Ｔ３１４タイマ、および／または、Ｔ３１５タイマを含みうる。
【発明の概要】
【０００５】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
１または複数の態様および対応する開示によれば、さまざまな態様は、少なくとも部分的に、１または複数のラジオ・アクセス技術（ＲＡＴ）において、関連するタイマを分割することによって、１または複数のＲＡＴにおける無線ネットワーク・サービスの探索を容易にすることに関連して記載される。例えば、接続モード中に無線デバイスのラジオ・リンク障害（ＲＬＦ）が生じた後、タイマが物理レイヤから受信され、この間、無線デバイスのアイドル・モードへの切換前に、ＲＬＦ回復が期待される。無線デバイスは、さまざまなＲＡＴにタイマを分割し、タイマ割当において、１または複数のアクセス・ポイントとの通信を継続するための接続を試みる。一例では、無線デバイスは、１または複数のＲＡＴにわたって等しくタイマを分割しうるか、または、タイマ割当において、あるＲＡＴ等に重み付けをしうる。さらに、無線デバイスは、無線デバイスの１または複数の通信パラメータに少なくとも部分的に基づいて、ＲＡＴに時間を分配しうる。例えば、ＲＬＦが判定された場合に、無線デバイスがコールしている場合、タイマ割当においては、ボイス・オーバ・インターネット・プロトコルＲＡＴよりも回路交換ＲＡＴが好適でありうる。
【０００７】
関連する態様によれば、ＲＬＦから回復することに関連するタイマを受信することと、タイマ割当において定義される複数のＲＡＴのうちの少なくとも１つに関連する、タイマの一部分を決定することと、を含む方法が提供される。この方法はさらに、タイマの一部分の間、複数のＲＡＴのうちの少なくとも１つを用いて接続を試みることを含む。
【０００８】
別の態様は、無線通信装置に関する。この無線通信装置は、ＲＬＦから回復することに関連するタイマを取得するように構成された少なくとも１つのプロセッサを含みうる。少なくとも１つのプロセッサはさらに、タイマ割当に少なくとも部分的に基づいて、複数のＲＡＴのうちの少なくとも１つに関連する、タイマの一部分を計算し、アクセス・ポイントへの接続を試みるために、このタイマの一部分の間、複数のＲＡＴのうちの少なくとも一部を利用する、ように構成される。この無線通信装置はまた、少なくとも１つのプロセッサに接続されたメモリをも備える。
【０００９】
また、別の態様は、装置に関連する。この装置は、ＲＬＦから回復することに関連するタイマを受信する手段と、タイマ割当において定義される複数のＲＡＴのうちの少なくとも１つに関連する、タイマの一部分を決定する手段と、を含む。この装置はまた、このタイマの一部分の間、複数のＲＡＴのうちの少なくとも１つを用いて接続を試みる手段を含む。
【００１０】
また別の態様は、コンピュータ・プログラム製品に関連する。このコンピュータ・プログラム製品は、少なくとも１つのコンピュータに対して、ＲＬＦから回復することに関連するタイマを取得させるためのコードと、少なくとも１つのコンピュータに対して、タイマ割当に少なくとも部分的に基づいて、複数のＲＡＴのうちの少なくとも１つに関連する、タイマの一部分を計算させるためのコードと、を含むコンピュータ読取可能な媒体を有しうる。このコンピュータ読取可能な媒体はさらに、少なくとも１つのコンピュータに対して、このタイマの一部分の間、複数のＲＡＴのうちの少なくとも１つを用いて、アクセス・ポイントへの接続を試みさせるためのコードをも備えうる。
【００１１】
さらに、さらなる態様は、ＲＬＦから回復することに関連するタイマを受信するＲＬＦ回復タイマ構成要素と、タイマ割当において定義される複数のＲＡＴのうちの少なくとも１つに関連する、タイマの一部分を決定するタイマ分割構成要素と、を含む装置に関連する。この装置はさらに、このタイマの一部分の間、複数のＲＡＴのうちの少なくとも１つを用いて接続を試みるＲＡＴ選択構成要素を含みうる。
【００１２】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用される種々の方式のうちの極く僅かを示しているに過ぎず、本記載は、そのようなすべての態様およびそれらの均等物を含むことが意図されている。
【図面の簡単な説明】
【００１３】
【図１】図１は、さまざまなラジオ・アクセス技術（ＲＡＴ）を用いて通信することを容易にする無線通信システムの例の例示である。
【図２】図２は、無線通信環境内で適用するための通信装置の例の例示である。
【図３】図３は、複数のＲＡＴにラジオ・リンク障害（ＲＬＦ）回復タイマを分割する無線通信システムの例示である。
【図４】図４は、複数のＲＡＴにＲＬＦ回復タイマを分割することに対応するタイムラインの例の例示である。
【図５】図５は、複数のＲＡＴにＲＬＦ回復タイマを分配するための方法の例の例示である。
【図６】図６は、ＲＬＦ回復タイマを分割するための１または複数のパラメータを決定する方法の例の例示である。
【図７】図７は、タイマ割当のために複数の回路交換ＲＡＴを指定する方法の例の例示である。
【図８】図８は、本明細書に記載されたさまざまな態様にしたがう無線通信システムの例示である。
【図９】図９は、本明細書に記載されたさまざまなシステムおよび方法と共に適用されうる無線ネットワーク環境の例示である。
【図１０】図１０は、複数のＲＡＴにＲＬＦ回復タイマを分配するシステムの例の例示である。
【発明を実施するための形態】
【００１４】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１５】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００１６】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００１７】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００１８】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ｃｄｍａ２０００およびＵＭＢは、「第３世代パートナシップ計画２」（３ＧＰＰ２）と命名された組織からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００１９】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２０】
図１を参照して、さまざまなラジオ・アクセス技術（ＲＡＴ）のアクセス・ポイントとの通信を容易にする無線通信システム１００が例示されている。システム１００は、１または複数のアクセス・ポイントから、無線ネットワーク・アクセスを受信する無線デバイス１０２を含む。さらに、ＬＴＥアクセス・ポイント１０４、ＧＳＭアクセス・ポイント１０６、ＧＳＭエッジ・ラジオ・アクセス・ネットワーク（ＧＥＲＡＮ）アクセス・ポイント１０８、およびＷ−ＣＤＭＡアクセス・ポイント１１０が提供される。アクセス・ポイント１０４，１０６，１０８，１１０おのおのは、関連付けられたＲＡＴを用いて無線ネットワークへのアクセスを提供するマクロセル・アクセス・ポイント、フェムトセルまたはピコセル・アクセス・ポイント、モバイル基地局、ｅＮＢ、これらの一部等でありうる。例えばデータ・オプティマイズド（ＤＯ）、１ｘ、ＷｉＭＡＸ等のようなさらなるアクセス・ポイントが存在しうることが認識されるべきである。さらに、無線デバイス１０２は、無線ネットワーク・アクセスを受信するＵＥ、（例えば、モデム等のような）テザー・デバイス、これらの一部等でありうる。
【００２１】
例によれば、無線デバイス１０２は、（図示しない）無線ネットワークへのアクセスを受信するために、ＬＴＥアクセス・ポイント１０４と通信しうる。無線デバイス１０２は、ＬＴＥアクセス・ポイント１０４とのラジオ・リンク障害（ＲＬＦ）を検出しうる。例えば、無線デバイス１０２は、低下した信号品質を判定することと、受信した巡回冗長検査（ＣＲＣ）のうちの低い数値、または、類似のヘッダを区別すること等、に少なくとも部分的に基づいてＲＬＦを検出しうる。さらに、無線デバイス１０２は、物理レイヤにおいてＲＬＦを検出しうる。そして、ＲＬＦが判定されると、物理レイヤは、上部レイヤにタイマを提供しうる。このタイマは、接続モード・サービス外タイマ、ＲＬＦ回復タイマ等であることができ、この間、ネットワークへの接続が確立され、無線デバイス１０２がアイドル通信モード（例えば、ＬＴＥにおけるＴ３１１タイマ、Ｗ−ＣＤＭＡにおけるＴ３１４タイマおよび／またはＴ３１５タイマ、等）に入ることが阻止される。例えば、タイマは、ＬＴＥアクセス・ポイント１０４（または、１または複数の別のアクセス・ポイント）からのシステム情報、無線デバイス１０２のための専用信号、等でシグナルされうる。
【００２２】
物理レイヤからタイマを受信すると、無線デバイス１０２は、このタイマを上限として用いて、（例えば、所与のＲＡＴを利用するアクセス・ポイントの位置決めを試みること（これは、パイロット信号を求めてリスンすることを含みうる）、接続を開始するためにプリアンブルを送信すること、応答を受信すること、等によって）１または複数のＲＡＴへの接続を試みうる。この点において、無線デバイス１０２は、（例えば、受信または定義されたタイマ割当にしたがって）タイマの一部分を別のＲＡＴへ割り当てうる。この一部分は、タイマのパーセンテージに関連することができ、ＲＡＴ間で実質的に等しいか、重み付けられているか、等でありうる。したがって、例えば、無線デバイス１０２は、さまざまなＲＡＴについてパーセンテージが異なるように、タイマ割当にしたがって、タイマの４０％をＬＴＥに、２０％をＧＳＭに、２０％をＷ−ＣＤＭＡに、２０％を再びＬＴＥに分配しうる。この例では、タイマが１０秒である場合、無線デバイス１０２は、４秒間、ＬＴＥアクセス・ポイントとの接続を試み、（もしも、ＬＴＥアクセス・ポイントが発見されなかったり、または、接続できないのであれば）次の２秒間、ＧＳＭアクセス・ポイントとの接続を試み、次の２秒間、Ｗ−ＣＤＭＡアクセス・ポイントとの接続を試み、最後の２秒間、再び、ＬＴＥアクセス・ポイントとの接続を試みうる。この例を実例に適用して、例えば、無線デバイス１０２は、ＲＬＦの後に、４秒間、ＬＴＥアクセス・ポイント１０４および／または１または複数のアクセス・ポイントへの接続を試みうる。これは、ＲＬＦの後にＬＴＥアクセス・ポイント１０４に信号が無い（または、信号品質がしきいレベル未満である）ことによって失敗しうる。したがって、無線デバイス１０２は、次の２秒間、ＧＳＭを用いて接続を試み、ＧＳＭアクセス・ポイント１０６へ接続しうる。接続が成功すると、無線デバイス１０２は、ＲＬＦから回復し、ＲＦＬ回復タイマ中に接続試行を続ける必要はない。
【００２３】
タイマ割当および／または関連するパーセンテージは、設定、ハードコーディング、ネットワーク仕様、ネットワーク・デバイス等から受信されうるか、および／または、ＬＴＥアクセス・ポイント１０４との通信に関する１または複数のパラメータに少なくとも部分的に基づいて決定されうる。無線デバイス１０２が、ＲＬＦ時に、ＬＴＥアクセス・ポイント１０４を用いて音声コールをしている場合、例えば、タイマ割当は、音声コールのための最適なＲＬＦ回復を提供するために、例えばＬＴＥのようなデータ中心のＲＡＴではなく、例えばＷ−ＣＤＭＡ、ＧＥＲＡＮ、１ｘ等のような回路交換（ＣＳ）ネットワークを優先するパーセンテージを有する無線デバイス１０２によって生成されうる。一例において、無線デバイス１０２は、ＲＬＦ中に音声コールをしている場合、ＬＴＥアクセス・ポイントへの接続をまったく試みないタイマ割当を生成しうる。
【００２４】
別の例では、無線デバイス１０２は、展開特性に少なくとも部分的に基づいてタイマ割当を生成しうる。これは、一例では、１または複数のパラメータとしてアクセス・ポイントから受信されうるか、ヒストリカルな接続パラメータに基づいて決定されうるか、等でありうる。例えば、無線デバイス１０２が、（例えば、市街地のように）ＬＴＥが密に展開されているエリアにある場合、ＲＬＦは、展開特性を一時的にしか与えられないので、無線デバイス１０２は、ＬＴＥアクセス・ポイントに接続することに、タイマの高いパーセンテージを割り当てうる。別の例では、タイマ割当または関連するパーセンテージが、１または複数のアクセス・ポイントからシグナルされうる。何れの場合も、さまざまなＲＡＴへの接続を試みるためにタイマを分割することで、無線デバイス１０２の接続信頼性を高めうる。そして、無線デバイス１０２がＲＬＦから回復することを試みる時間を短縮することによって、電力消費を低減しうる。
【００２５】
図２に移って、無線通信ネットワークに参加しうる通信装置２００が例示される。この通信装置２００は、（例えば、ＵＥ，モデム、または、その他のテザー・デバイス、等のような）モバイル・デバイス、これらの一部、または、無線ネットワークにおける１または複数のアクセス・ポイントへの接続を確立する実質的に任意のデバイスでありうる。通信装置２００は、接続モード・サービス外タイマまたはＲＬＦ回復タイマ（例えば、Ｔ３１１、Ｔ３１４、Ｔ３１５、等）を物理レイヤから取得するＲＬＦ回復タイマ構成要素２０２と、複数のＲＡＴへの接続試行のためにタイマの一部分を割り当てるタイマ分割構成要素２０４と、複数のＲＡＴへの接続を試みるＲＡＴ選択構成要素２０６と、を含みうる。
【００２６】
例によれば、ＲＬＦ回復タイマ構成要素２０２は、ＲＬＦ判定後、物理レイヤからタイマを取得しうる。タイマは、記載されているように、通信装置２００がアイドル・モードに切り換えられる前に、無線ネットワークとの再接続のための期間に関連しうる。さらに、ＲＬＦ回復タイマ構成要素２０２は、アクセス・ポイントによって（例えば、システム情報や専用信号等によって）シグナルされると、ラジオ・リソース制御（ＲＲＣ）または類似のレイヤにおいてタイマを取得しうる。タイマ分割構成要素２０４は、タイマ割当にしたがって、複数のＲＡＴとの接続を試みるための、タイマの一部分を計算しうる。タイマ割当は、（例えば、設定、ハードコーディング、ネットワーク仕様、ネットワーク・デバイス等）から受信されうるか、または、タイマ分割構成要素２０４によって定義されうる。記載されているように、タイマ分割構成要素２０４は、ＲＡＴに関連するタイマ割当において設定されたパーセンテージにしたがって、複数のＲＡＴに、タイマを分配しうる。ＲＡＴは、ＬＴＥ、ＧＳＭ、Ｗ−ＣＤＭＡ、ＧＥＲＡＮ、ＤＯ、１ｘ、ＷｉＭＡＸ、および／または、実質的に任意のＲＡＴを含みうる。何れの場合であれ、タイマ割当は、ＲＡＴのセットにおける各ＲＡＴに、実質的に等しいパーセンテージを分配しうる。別の例では、タイマ割当は、あるＲＡＴに対して、他のＲＡＴよりも高く重み付けを行うこと（例えば、これは、ＲＡＴのために異なるパーセンテージを指定することを含みうる）、ＲＡＴのセットからいくつかのＲＡＴを除外すること、等を行いうる。
【００２７】
例えば、タイマ分割構成要素２０４は、タイマ割当で指定されたパーセンテージにしたがって、タイマの一部分を計算する。例では、タイマ分割構成要素２０４は、より複雑なタイマ割当を定義する。１つのこのような割当では、タイマ分割構成要素２０４は、セット内のＲＡＴのうちの１または複数に固定時間を割り当てるか、および／または、残りのＲＡＴにパーセンテージを割り当てうる（例えば、少なくとも４秒をＬＴＥに、もしあれば、残りのタイマ時間の５０％をＧＳＭに、その他の５０％をＷ−ＣＤＭＡに指定するタイマ割当を定義する。）。記載されているように、タイマ分割構成要素２０４は、通信装置２００の状態に関する１または複数のパラメータに少なくとも部分的に基づいて、タイマ割当を定義しうる。例えば、通信装置２００がコールしている場合、タイマ分割構成要素２０４は、データ中心のＲＡＴに接続するのではなく、コールを継続することに集中するために、ＣＳ  ＲＡＴのみに関するパーセンテージを重み付けるか、および／または、計算しうる。別の例では、通信装置２００が、ＬＴＥアクセス・ポイントと、しきい値を超えるデータ量を通信している場合、タイマ分割構成要素２０４は、少なくとも、タイマのほとんどを、ＬＴＥ  ＲＡＴへ重み付けうる。
【００２８】
さらに、追加例または代替例では、タイマ分割構成要素２０４は、アクセス・ポイントから受信されうる、さもなければ、タイマ分割構成要素２０４によって判定されるＲＡＴの展開特性を受け取ることに少なくとも部分的に基づいて、ＲＡＴのセットに関連するパーセンテージを割り当てうる。例えば、ＬＴＥが密に展開されたエリアでは、タイマ分割構成要素２０４が、セット内のＲＡＴの残りの部分とは逆に、タイマの大部分を、ＬＴＥ  ＲＡＴに割り当てうる。一例では、タイマ分割構成要素２０４は、期間にわたって達成されたデータ・レートに少なくとも部分的に基づいて、展開特性を判定しうる（例えば、通信装置２００が、期間にわたって高いＬＴＥレートを達成することができるのであれば、タイマ分割構成要素２０４は、ＬＴＥが密に展開されたエリアに通信装置２００があるものと仮定しうる）。別の例では、タイマ分割構成要素２０４は、エリア内の好適なＲＡＴ、または、密に展開されたＲＡＴを示す１または複数のパラメータを、アクセス・ポイントから受信し、タイマ割当においてパーセンテージに重み付けする際に、この１または複数のパラメータを利用しうる。さらに、記載されているように、タイマ分割構成要素２０４は、タイマの順序を決定し、前述されたパラメータに基づいて、タイマ割当に、繰り返し割合を含めうる。例えば、密に展開されたＬＴＥエリアでは、タイマ分割構成要素２０４が、ＬＴＥに４０％を割り当て、次に、ＧＳＭに１５％、ＬＴＥに１５％、Ｗ−ＣＤＭＡに１５％、最後に再びＬＴＥに１５％を割り当てうる。
【００２９】
何れの場合であれ、ＲＡＴ選択構成要素２０６は、タイマ割当にしたがって、指定されたタイマの間、ＲＡＴのセットとの接続の確立を試みうる。これは、対応する、タイマの一部分の間、タイマ割当において指定されたＲＡＴ間での切り換えを含みうる。ＲＡＴ選択構成要素２０６は、タイマ割当にしたがって接続を確立することができるようになると、接続試行を終了しうる。さらに、構成要素２０２，２０４，および／または２０６は、通信装置２００のマルチ・モード選択システム（ＭＭＳＳ）レイヤ内で実現されうることが認識されるべきである。この点において、物理レイヤは、タイマをＭＭＳＳレイヤへ通信し、ＭＭＳＳレイヤは、記載されているように、最適なＲＬＦ回復を提供するために、ＲＡＴのセットにおける接続を試みうる。
【００３０】
図３を参照して、ＲＬＦからの回復を試みる際に、複数のＲＡＴにタイマを分割することを容易にする無線通信システム３００が例示されている。システム３００は、例えばアクセス・ポイント３０２のような１または複数のアクセス・ポイントから無線ネットワーク（図示せず）へのアクセスを受信する無線デバイス１０２を含む。無線デバイス１０２は、例えば、ＵＥ、モデム（または、その他のテザー・デバイス）、その一部、および／または、無線ネットワークへのアクセスを受信する実質的に任意のデバイスでありうる。さらに、例えば、アクセス・ポイント３０２は、マクロセル・アクセス・ポイント、フェムトセル・アクセス・ポイント、ピコセル・アクセス・ポイント、モバイル基地局、それらの一部、および／または、無線ネットワーク・アクセスを提供する実質的に任意のデバイスでありうる。さらに、アクセス・ポイント３０２は、１または複数のデバイスと通信するために、関連付けられたＲＡＴを利用しうる。
【００３１】
無線デバイス１０２は、物理レイヤにおいてＲＬＦを検出しうるＲＬＦ判定構成要素３０４と、接続モード・サービス外タイマ、ＲＬＦ回復タイマ、および／または、類似のタイマをアクセス・ポイントから取得しうるＲＬＦ回復タイマ構成要素２０２と、無線デバイス１０２通信に関する１または複数のパラメータを識別しうる通信パラメータ判定構成要素３０６とを含みうる。無線デバイス１０２はさらに、（例えば、１または複数のパラメータまたはその他にしたがって）タイマを分配するタイマ分割構成要素２０４と、タイマ分配に基づいて、ＲＡＴの１または複数のアクセス・ポイントへの接続を試みるＲＡＴ選択構成要素２０６と、接続後にアクセス・ポイントと通信するＲＡＴ通信構成要素３０８と、を含みうる。
【００３２】
例によれば、無線デバイス１０２は、無線ネットワークへのアクセスを受信するためにアクセス・ポイント３０２と通信しうる。ＲＬＦ判定構成要素３０４は、物理レイヤにおいて、アクセス・ポイント３０２に関するＲＬＦを検出しうる。記載されているように、ＲＬＦ判定構成要素３０４は、期間にわたって、しきいレベルを下回った信号品質を測定すること、受信したＣＲＣヘッダにおける減少を判定すること、等に少なくとも部分的に基づいてＲＬＦを検出しうる。ＲＬＦ判定構成要素３０４は、ＲＬＦを検出すると、上部レイヤ（例えば、ＭＭＳＳレイヤ）にタイマを提供しうる。この間、アクセス・ポイントへの接続が確立され、無線デバイス１０２は、アイドル・モードに入ることを阻止される。記載されているように、ＲＬＦ回復タイマ構成要素２０２は、タイマを取得しうる。
【００３３】
例では、記載されているように、通信パラメータ判定構成要素３０６は、例えば、アクセス・ポイント３０２との通信の１または複数のタイプ（例えば、音声、データ、ビデオ・ストリーミング等）や、無線ネットワーク展開特性を受信するか、または、これらを、位置等に基づいて区別しうる。タイマ分割構成要素２０４は、記載されているように、複数のＲＡＴへの通信を試みるために、タイマ割当を受信するか、または、タイマ割当を、１または複数のパラメータまたはその他に基づいて生成しうる。したがって、例えば、タイマ分割構成要素２０４は、無線デバイス１０２が、他のデータ・パケットをストリーミングまたは通信している場合や、無線デバイス１０２が、最適なＬＴＥ有効通信範囲を有する位置にある場合等には、タイマ割当において、より多くの時間をＬＴＥに分配しうる。そして、記載されているように、パラメータが、決定されうるか、および／または、アクセス・ポイントからシグナルされうる。同様に、無線デバイス１０２が音声コールをしていると通信パラメータ判定構成要素３０６が判定した場合、タイマ分割構成要素２０４は、記載されているように、データ中心のＲＡＴ等への接続を試みる前に、ＣＳ  ＲＡＴのみとの接続を試みるために、高いパーセンテージでタイマを分配するタイマ割当を生成しうる。何れの場合であれ、タイマ分割構成要素２０４は、タイマの一部分を複数のＲＡＴに関連付けるために、タイマ割当をタイマに適用しうる。
【００３４】
ＲＡＴ選択構成要素２０６は、その後、タイマ分割にしたがって、１または複数のＲＡＴへの接続を試みうる。したがって、例えば、ＲＡＴ選択構成要素２０６は、ＲＡＴのセットにおける第１のＲＡＴと、関連する、タイマの一部分とを決定し、このタイマの一部分の間、ＲＡＴを用いて、１または複数のアクセス・ポイントへの接続を試みうる。タイマの一部分が終了すると、ＲＡＴ選択構成要素２０６は、セットにおける次のＲＡＴと、タイマの次の一部分とを決定し、タイマの次の一部分の間、次のＲＡＴを用いて、１または複数のアクセス・ポイントへの接続を試みるといった具体である。所与のＲＡＴを有するアクセス・ポイントとの接続が確立されると、ＲＡＴ通信構成要素３０８は、ＲＡＴを用いて、アクセス・ポイントへの送信、および／または、アクセス・ポイントからの受信を行いうる。さらに、接続が確立されると、ＲＡＴ選択構成要素２０６は、接続試行を終了しうる。ＲＡＴ選択構成要素２０６が、受信したタイマ内でＲＡＴへの接続を確立できない場合、無線デバイス１０２は、アイドル・モードへと切り換わりうる。
【００３５】
図４に移って、ＲＬＦから回復するために無線デバイスによって利用されるタイムライン４００の例が図示される。４０２では、潜在的なＲＬＦが検出されうる。記載されているように、例えば、ＲＬＦは、期間にわたって、信号品質がしきい値未満であることを検出すること、受信したＣＲＣヘッダの数、および／または、その他に基づいて検出されうる。ＲＬＦタイマ４０４は、４０２において、潜在的なＲＬＦが検出されると、アクティブ化されうる。記載されているように、潜在的なＲＬＦを検出すること４０２、および、ＲＬＦタイマ４０４を利用することは、物理レイヤにおいて実行されうる。４０６において、ＲＬＦタイマ４０４が終了すると、ＲＬＦ回復タイマ４０８が、物理レイヤにおいて開始されうる。さらに、４０６において、物理レイヤは、ＲＬＦ回復タイマ値を、ＭＭＳＳレイヤまたは類似の上部レイヤへ渡しうる。ＭＭＳＳレイヤは、ＲＬＦ回復タイマ４０８を、複数のＲＡＴタイマ４１０，４１２，４１４，４１６へ分割しうる。
【００３６】
例えば、ＭＭＳＳレイヤは、ＲＡＴ１タイマ４１０を第１のＲＡＴへ関連付けうる。そして、無線デバイスは、ＲＡＴ１タイマ４１０の間、第１のＲＡＴを利用する１または複数のアクセス・ポイントへの接続を試みうる。４１８において、ＲＡＴ１を用いたアクセス・ポイントへの接続が確立されていない場合、ＭＭＳＳレイヤは、ＲＡＴ２タイマ４１２の間、第２のＲＡＴを用いて、１または複数のアクセス・ポイントへの接続を試みうる。同様に、４２０において、第２のＲＡＴを用いてアクセス・ポイントへの接続が確立されていない場合、ＭＭＳＳレイヤは、ＲＡＴ３タイマ４１４の間、第３のＲＡＴを用いて、１または複数のアクセス・ポイントへの接続を試みうる。さらに、４２２において、第３のＲＡＴを用いてアクセス・ポイントへの接続が確立されていない場合、ＭＭＳＳレイヤは、ＲＡＴ４タイマ４２２の間、第４のＲＡＴを用いて、１または複数のアクセス・ポイントへの接続を試みうる。４２４において、ＲＡＴ４タイマ４１６が、接続無く終了した場合、無線デバイスは、アイドル・モードに切り換わりうる。記載されているように、第１、第２、第３、および第４のＲＡＴはそれぞれ異なっているか、または、これらＲＡＴのうちの１または複数が、実質的に同じでありうることが認識されるべきである。一例では、記載されているように、ＲＬＦが４０６において判定された場合に、無線デバイスがコールしている場合、ＭＭＳＳレイヤは、ＲＬＦ時におけるＲＡＴに関わらず、第１、第２、第３、および／または第４のＲＡＴを、ＣＳ対応のＲＡＴに関連付けうる。
【００３７】
図５−７を参照して、複数のＲＡＴにＲＬＦ回復タイマを分配することに関連する方法が例示される。説明の簡略化の目的のために、これら方法は一連の動作として図示および説明されているが、これら方法は、１または複数の態様によれば、いくつかの動作が、本明細書で図示および説明されたものとは異なる順序で、および／または、同時に生じうるので、これら動作順序に限定されないことが理解および認識されるべきである。例えば、当業者であれば、これら方法はこの代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００３８】
図５に移って、複数のＲＡＴにＲＬＦ回復タイマを分割することを容易にする方法５００の例が例示されている。５０２において、ＲＬＦから回復することに関連するタイマが受信されうる。記載されているように、タイマは、ＲＬＦの判定後等において、物理レイヤから受信されうる。さらに、タイマは、Ｔ３１１タイマ、Ｔ３１４タイマ、Ｔ３１５タイマ、および／または、類似のタイマであることができ、これによって、デバイスは、接続が回復されない場合、タイマの終了後に、アイドル・モードに入ることができるようになる。５０４において、複数のＲＡＴのうちの少なくとも１つに関連する、タイマの一部分が、タイマ割当に少なくとも部分的に基づいて決定されうる。例えば、記載されているように、タイマ割当は、複数のＲＡＴのおのおのに関連するパーセンテージを含みうる。そして、タイマの一部分は、ＲＡＴに関連するパーセンテージをタイマに適用することによって決定されうる。さらに、例えば、タイマ割当は、受信されうるか、１または複数の通信パラメータにしたがって定義されうるか、等でありうる。５０６において、タイマの一部分の間、複数のＲＡＴのうちの少なくとも１つを用いて接続が試みられうる。記載されているように、このタイマの一部分の間に、接続を確立できない場合、次のＲＡＴに関連する、タイマの次の一部分の間に、接続を試みるために、複数のＲＡＴのうちの次のＲＡＴが使用されうることが認識されるべきである。
【００３９】
図６を参照して、さまざまなＲＡＴにＲＬＦ回復時間を分配することを容易にする方法６００の例が図示される。６０２において、アクセス・ポイントとの通信に関連する１または複数のパラメータが受信されうる。記載されているように、例えば、１または複数のパラメータは、アクセス・ポイントとの通信のタイプ（例えば、音声、データ、ストリーミング等）、エリア内のＲＡＴ展開特性、および／またはその他に関連しうる。６０４において、この１または複数のパラメータに少なくとも部分的に基づいて、タイマ割当が定義されうる。したがって、例えば、この１または複数のパラメータが、音声コールに関連している場合、ＣＳ対応である複数のＲＡＴにわたってタイマ割当が定義されうる。記載されているように、１または複数のパラメータが、ストリーミング、または、あるタイプのデータ接続に関連している場合、例えばＬＴＥまたはその他のデータ中心のＲＡＴのようなＲＡＴに、高い重みを与えるように、タイマ割当が定義されうる。６０６において、このタイマ割当にしたがって、ＲＬＦ回復タイマが分割されうる。この点において、例えば、タイマ割当は、複数のＲＡＴについて、複数のパーセンテージに関連しうる。そして、パーセンテージは、複数のＲＡＴを用いて接続を試みるための、タイマの一部分を決定するために、ＲＬＦ回復タイマに適用されうる。
【００４０】
図７に移って、複数のＣＳ対応のＲＡＴにＲＬＦ回復タイマを分割することを容易にする方法７００の例が図示される。７０２において、ＲＬＦ回復タイマが受信されうる。記載されているように、タイマは、ＲＬＦ判定後、物理レイヤから受信されうる。７０４において、（例えば、記載されているように、アクセス・ポイントとの通信に関する１または複数のパラメータに少なくとも部分的に基づいて、）音声コールが進行中であると判定されうる。７０６において、ＲＬＦ回復タイマが、複数のＣＳ  ＲＡＴに分割されうる。したがって、例えば、コールが進行中であるので、記載されているように、コールを継続させるために、複数のＣＳ  ＲＡＴが決定され、タイマが、ＣＳ  ＲＡＴに分配される。
【００４１】
本明細書に記載された１または複数の態様によれば、推論は、複数のＲＡＴへのタイマ割当を決定すること、および／または、本明細書に記載されたその他の態様に関してなされうることが認識されるだろう。本明細書で使用されるように、「推論する」または「推論」という用語は、一般に、イベントおよび／またはデータによって取得されたような観察のセットから、システム、環境、および／または、ユーザの状態の推論、あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができうる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４２】
図８に示すように、本明細書に示されたさまざまな実施形態にしたがう無線通信システム８００が例示されている。システム８００は、複数のアンテナ・グループを含みうる基地局８０２を含む。例えば、１つのアンテナ・グループは、アンテナ８０４およびアンテナ８０６を含むことができ、別のグループは、アンテナ８０８およびアンテナ８１０を備えることができ、さらに別のグループは、アンテナ８１２およびアンテナ８１４を含むことができる。おのおののアンテナ・グループについて２本のアンテナしか例示されていないが、２本より多いアンテナ、または２本より少ないアンテナも、各グループのために利用されうる。基地局８０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００４３】
基地局８０２は、例えばモバイル・デバイス８１６およびモバイル・デバイス８２２のような１または複数のモバイル・デバイスと通信しうる。しかしながら、基地局８０２は、モバイル・デバイス８１６およびモバイル・デバイス８２２に類似した実質的に任意の数のモバイル・デバイスと通信しうることが認識されるべきである。モバイル・デバイス８１６，８２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム８００を介して通信するのに適切なその他任意のデバイスでありうる。図示するように、モバイル・デバイス８１６は、アンテナ８１２およびアンテナ８１４と通信している。ここで、アンテナ８１２およびアンテナ８１４は、順方向リンク８１８によってモバイル・デバイス８１６へ情報を送信し、逆方向リンク８２０によってモバイル・デバイス１１６から情報を受信する。さらに、モバイル・デバイス８２２はアンテナ８０４，８０６と通信している。ここで、アンテナ８０４，８０６は、順方向リンク８２４によってモバイル・デバイス８２２へ情報を送信し、逆方向リンク８２６によってモバイル・デバイス８２２から情報を受信する。周波数分割デュプレクス（ＦＤＤ）システムでは、例えば、順方向リンク８１８は、逆方向リンク８２０によって使用されるものとは異なる周波数帯域を使用し、順方向リンク８２４は、逆方向リンク８２６によって使用されるものとは異なる周波数帯域を使用しうる。さらに、時分割デュプレクス（ＴＤＤ）システムでは、順方向リンク８１８および逆方向リンク８２０は、共通の周波数帯域を使用し、順方向リンク８２４および逆方向リンク８２６は、共通の周波数帯域を使用しうる。
【００４４】
通信するように指定された領域および／またはアンテナのおのおののグループは、基地局８０２のセクタと称されうる。例えば、基地局８０２によってカバーされる領域のセクタ内のアクセス端末に通信するように、複数のアンテナが設計されうる。順方向リンク８１８，８２４による通信では、基地局８０２の送信アンテナは、モバイル・デバイス８１６，８２２の順方向リンク８１８，８２４の信号対雑音比を改善するためにビームフォーミングを利用しうる。また、基地局８０２が、関連付けられた有効通信範囲にランダムに散在したモバイル・デバイス８１６，８２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス８１６およびモバイル・デバイス８２２は、ピア・トゥ・ピアまたはアド・ホック技術（図示せず）を用いて、互いにダイレクトに通信しうる。
【００４５】
例によれば、システム８００は、複数入力複数出力（ＭＩＭＯ）通信システムでありうる。さらに、システム８００は、例えばＦＤＤ、ＦＤＭ、ＴＤＤ、ＴＤＭ、ＣＤＭ等のような通信チャンネル（例えば、順方向リンク、逆方向リンク）を分割する実質的に任意のタイプのデュプレクス技術を利用しうる。さらに、通信チャネルは、チャネルによる複数のデバイスとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。基地局８０２は、さまざまなタイプのデータのために生成されうるチャネルによってモバイル・デバイス８１６，８２２に通信しうる。例えば、チャネルは、さまざまなタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。
【００４６】
図９は、無線通信システム９００の例を示す。無線通信システム９００は、簡潔化の目的で、１つの基地局９１０と１つのモバイル・デバイス９５０しか示していない。しかしながら、システム９００は、１つより多い基地局、および／または、１つより多いモバイル・デバイスを含むことができ、これら追加の基地局および／またはモバイル・デバイスは、以下に説明する基地局９１０およびモバイル・デバイス９５０の例と実質的に同じものでも、別のものでもありうることが認識されるべきである。さらに、基地局９１０および／またはモバイル・デバイス９５０は、その間の無線通信を容易にするために、本明細書で記載されたシステム（図１乃至４および図８）および／または方法（図５乃至７）を適用しうることが認識されるべきである。
【００４７】
基地局９１０では、多くのデータ・ストリームのためのトラフィック・データが、データ・ソース９１２から送信（ＴＸ）データ・プロセッサ９１４へ提供される。例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符号化スキームに基づいて符号化し、インタリーブして、符号化されたデータを提供する。
【００４８】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重（ＦＤＭ）、時分割多重（ＴＤＭ）、あるいは符号分割多重（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ９３０によって実行または提供される命令によって決定されうる。
【００４９】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな態様において、ＴＸ  ＭＩＭＯプロセッサ９２０は、データ・ストリームのシンボルへ、および、シンボルが送信されるアンテナへ、ビームフォーミング重みを適用する。
【００５０】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００５１】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５２】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００５３】
プロセッサ９７０は、上述したように、どのプリコーディング行列を使用するのかを定期的に決定する。さらに、プロセッサ９７０は、行列インデクス部およびランク値部を備えた逆方向リンク・メッセージを規定することができる。
【００５４】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００５５】
基地局９１０では、モバイル・デバイス９５０からの変調された信号が、アンテナ９２４によって受信され、受信機９２２によって調整され、復調器９４０によって復調され、ＲＸデータ・プロセッサ９４２によって処理されることにより、モバイル・デバイス９５０によって送信された逆方向リンク・メッセージが抽出される。さらに、プロセッサ９３０は、ビームフォーミング重みを決定するためにどのプリコーディング行列を使用するかを決定するために、この抽出されたメッセージを処理する。
【００５６】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００５７】
図１０を参照して、複数のＲＡＴにＲＬＦ回復タイマを分配することを容易にするシステム１０００が例示される。例えば、システム１０００は、基地局、モバイル・デバイス等の中に少なくとも部分的に存在しうる。システム１０００は、プロセッサ、ソフトウェア、またはこれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、ＲＬＦから回復することに関連するタイマを受信するための電子構成要素１００４を含みうる。例えば、タイマは、記載されているように、物理レイヤから受信され、Ｔ３１１タイマ、Ｔ３１４タイマ、Ｔ３１５タイマ、または、アイドル・モードに入る前に接続を再確立するための期間を指定する類似のタイマでありうる。さらに、論理グループ１００２は、タイマ割当において定義される複数のＲＡＴのうちの少なくとも１つに関連する、タイマの一部分を決定するための電子構成要素１００６を含みうる。記載されているように、タイマ割当は、設定、ハードコーディング、ネットワーク仕様等から受信されうるか、１または複数の通信パラメータに少なくとも部分的に基づいて決定されうるか、ネットワーク・デバイスから受信されうる等でありうる。
【００５８】
さらに、論理グループ１００２は、タイマの一部分の間、複数のＲＡＴのうちの少なくとも１つを用いて接続を試みるための電子構成要素１００８を含みうる。この点に関し、記載されているように、電子構成要素１００８はさらに、対応する、タイマの次の一部分にしたがって、複数のＲＡＴのうちの次の１つを用いて接続を試みうる。さらに、論理グループ１００２は、アクセス・ポイントと通信することに関連する１または複数のパラメータを受信するための電子構成要素１０１０を含みうる。記載されているように、タイマ割当は、１または複数のパラメータに少なくとも部分的に基づいて定義されうる。さらに、システム１０００は、電子構成要素１００４，１００６，１００８，１０１０に関連付けられた機能を実行するための命令群を保持するメモリ１０１２を含みうる。メモリ１０１２の外側にあると示されているが、電子構成要素１００４，１００６，１００８，１０１０のうちの１または複数は、メモリ１０１２内に存在しうることが理解されるべきである。
【００５９】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいは順序回路を用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。
【００６０】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００６１】
１または複数の態様では、記載された機能が、ハードウェア、ソフトウェア、ファームウェア、またはこれらの任意の組み合わせで実現されうる。ソフトウェアで実現される場合、これら機能、手順等はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００６２】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013526821.tif 000003
【図２】
2013526821.tif 000004
【図３】
2013526821.tif 000005
【図４】
2013526821.tif 000006
【図５】
2013526821.tif 000007
【図６】
2013526821.tif 000008
【図７】
2013526821.tif 000009
【図８】
2013526821.tif 000010
【図９】
2013526821.tif 000011
【図１０】
2013526821.tif 000012
【国際調査報告】
2013526821.tif 000013
2013526821.tif 000014
2013526821.tif 000015
2013526821.tif 000016